(57)【要約】【課題】１つのアンテナ素子で動作周波数の異なる無線システムに対応できる無線通信端末を提供する。【解決手段】第１周波数帯を遮断する第２遮断部１０１と第４遮断部１０３を第１導体素子１０で接続し、第２周波数帯を遮断する第１遮断部１００と第３遮断部１０２を第２導体素子１１で接続する構成により、第１無線システム１および第２無線システム５からみたアンテナ開放端をアンテナ素子１上とし、良好なアンテナ性能を得ることができる。【選択図】図１
2011041171.tif 000002
【特許請求の範囲】
【請求項１】
動作周波数が異なる複数の無線システムを搭載する無線通信端末において、
第１周波数帯を動作周波数とする第１無線システムと、
前記第１周波数帯とは異なる第２周波数帯を動作周波数とする第２無線システムと、
前記第１無線システムと前記第２無線システムを搭載した回路基板と、
前記回路基板から所定の距離を隔てて配置されたアンテナ素子と、
前記アンテナ素子に電気的に接続された前記第２周波数帯を遮断する第１遮断部と、
前記アンテナ素子の前記第１遮断部とは異なる位置で電気的に接続された前記第１周波数帯を遮断する第２遮断部と、
前記アンテナ素子と前記第１遮断部と前記第２遮断部を搭載したアンテナ基板と、
前記第１遮断部に電気的に接続された第１導体素子と、
前記第１導体素子と前記第１無線システムとに電気的に接続され前記回路基板上に配置され前記第２周波数帯を遮断する第３遮断部と、
前記第２遮断部に電気的に接続された第２導体素子と、
前記第２導体素子と前記第２無線システムとに電気的に接続され前記回路基板上に配置され前記第１周波数帯を遮断する第４遮断部を備え、
前記第１無線システム用のアンテナとして前記アンテナ素子と前記第１導体素子が動作し、
前記第２無線システム用のアンテナとして前記アンテナ素子と前記第２導体素子が動作することを特徴とする無線通信端末。
【請求項２】
前記第１周波数帯は、前記第２周波数帯より低い周波数であって、
前記第１周波数帯の最も高い周波数と前記第２周波数帯の最も低い周波数との間隔が、第１周波数帯の中心周波数に対して比帯域５％以上であることを特徴とする請求項１に記載の無線通信端末。
【請求項３】
前記第３遮断部と前記第４遮断部との間隔が、第１周波数帯または第２周波数帯の１／２０波長以上であることを特徴とする請求項１または請求項２に記載の無線通信端末。
【請求項４】
前記第１導体部の長さが前記第２周波数帯の１／８波長以下であり、
前記第２導体部の長さが前記第１周波数帯の１／８波長以下であることを特徴とする請求項１ないし３のいずれか一項に記載の無線通信端末。
【発明の詳細な説明】
【技術分野】
【０００１】
本発明は、携帯電話機やＰＨＳ（Ｐｅｒｓｏｎａｌ  Ｈａｎｄｙ−Ｐｈｏｎｅ  Ｓｙｓｔｅｍ）等の無線通信端末に関する。
【背景技術】
【０００２】
携帯電話機やＰＨＳ等の無線通信端末は、様々な動作周波数の無線システムに対応する必要がある一方、薄型・小型化のためアンテナ素子を無線通信端末内に内蔵することが主流となっている。以上より、限られた空間内に様々な動作周波数に対応するアンテナ素子を配置する必要がる。よって複数のアンテナ素子を配置する場合にアンテナ素子同士が空間的に電磁結合しアンテナ性能が低下してしまう。
【０００３】
この電磁結合によるアンテナ性能の低下を回避するものとして、例えば特許文献１で開示された「アンテナ素子間の距離を離しアンテナアイソレーション性能を向上する」ものがある。図１０に示すようにアンテナ素子３０１とアンテナ素子３０２は筐体を閉じても開いても遠い位置となるように配置しており素子間のアイソレーション性能を向上しアンテナ特性の劣化を抑制している。
【０００４】
また前記電磁結合によるアンテナ性能の低下を回避するために１つのアンテナ素子で様々な動作周波数に対応する方法がある。しかし、その場合にはアンテナ素子を広帯域化する必要がある。
【０００５】
１つの素子で広帯域化を図るものとして例えば特許文献２で開示された「１つのアンテナ素子の両端から給電し整合回路を切り替える」ものがある。図１１に示すようにアンテナ素子３０３の両端に各々の給電部および整合回路を設け帯域切替スイッチ３０４により素子の接続を切替えることで動作周波数の異なる複数の無線システムに対応している。
【先行技術文献】
【特許文献】
【０００６】
【特許文献１】特開２００５−２７７７０３号公報
【特許文献２】特開２００６−３１０９９５号公報
【発明の概要】
【発明が解決しようとする課題】
【０００７】
しかしながら、特許文献１および特許文献２に記載の無線通信端末は、様々な動作周波数の無線システムを同時に動作させた場合に良好なアンテナ特性を得ることができないという問題がある。
【０００８】
例えば、第１無線システムと第２無線システムのアンテナを各々設ける場合、無線通信端末の小型・薄型化および高機能化に伴う高密度化によりアンテナを配置できる空間は限定され十分に距離を離して配置することが出来ない。そのためアンテナ間のアイソレーション性能が劣化し電磁結合によりアンテナ性能が低下する。
【０００９】
そこで、前記第１無線システムと前記第２無線システムを１つのアンテナ素子で構成することで電磁結合の影響を排除できる。
【００１０】
しかし、１つのアンテナ素子で複数の周波数に対応するためには広帯域化を図る必要がある。
【００１１】
そこで、アンテナ素子の両端にアンテナの共振周波数を各々の無線システム動作周波数とするための整合回路を設け、かつ、整合回路と無線部との接続を切替えることで対応することが出来るが複数の無線システムを同時に動作することが出来ない。また、無線部との接続を切替える接続部を回路基板上に設ける場合、アンテナ素子の開放端は回路基板上となり回路基板上のグランドパターン近接により放射抵抗が小さくなりアンテナ特性が劣化する。
【００１２】
本発明は、かかる事情に鑑みてなされたものであり、１つのアンテナ素子に動作周波数の異なる無線システムから給電し、複数の無線システムを同時に動作でき、かつアンテナ性能が良好である無線通信端末を提供することを目的とする。
【課題を解決するための手段】
【００１３】
前記目的を達成するため、本発明の無線通信端末は動作周波数が異なる複数の無線システムを搭載する無線通信端末において、第１周波数帯を動作周波数とする第１無線システムと、前記第１周波数帯とは異なる第２周波数帯を動作周波数とする第２無線システムと、前記第１無線システムと前記第２無線システムを搭載した回路基板と、前記回路基板から所定の距離を隔てて配置されたアンテナ素子と、前記アンテナ素子に電気的に接続され前記アンテナ素子上に配置され前記第２周波数帯を遮断する第１遮断部と、前記第１遮断部に電気的に接続された第１導体素子と、前記第１導体素子と前記第１無線システムとに電気的に接続され前記回路基板上に配置され前記第２周波数帯を遮断する第３遮断部と、前記アンテナ素子に電気的に接続され前記アンテナ素子上の前記第１遮断部とは異なる位置に配置され前記第１周波数帯を遮断する第２遮断部と、前記第２遮断部に電気的に接続された第２導体素子と、前記第２導体素子と前記第２無線システムとに電気的に接続され前記回路基板上に配置され前記第１周波数帯を遮断する第４遮断部と、を備えた。
【００１４】
上記構成によれば、前記第１無線システム用のアンテナとして前記アンテナ素子と前記第１導体素子が動作し、前記第２無線システム用のアンテナとして前記アンテナ素子と前記第２導体素子が動作し、各々の無線システムは独立して同時に動作することが出来る。
【００１５】
また、上記構成において、前記第１周波数帯は前記第２周波数帯より高い周波数であって、前記第１周波数帯の最も低い周波数と前記第２周波数帯の最も高い周波数との間隔が第１周波数帯の中心周波数に対して比帯域５％以上である。
【００１６】
上記構成によれば、第１遮断部と第３遮断部は第１周波数帯を通過し、第２周波数帯を遮断することができる。同様に第２遮断部と第４遮断部は第２周波数帯を通過し、第１周波数帯を遮断することができ、各無線システムからアンテナ素子への接続を無線システムが使用する周波数帯において損失なく行うことができる。
【００１７】
また、上記構成において、前記第３遮断部と前記第４遮断部との間隔が第１周波数帯または第２周波数帯の１／２０波長以上である。
【００１８】
上記構成によれば、前記第３遮断部と前記第４遮断部の間での電流の流れ込みを抑制し、各々の無線システムからの電力をアンテナ素子にのみ供給することができ良好なアンテナ性能を得ることができる。
【００１９】
上記構成において、前記第１導体部の長さが前記第２周波数帯の１／８波長以下であり、
前記第２導体部の長さが前記第１周波数帯の１／８波長以下である。
【００２０】
上記構成によれば、第１導体素子は第２周波数帯にて共振せず、第２導体素子は第１周波数帯にて共振しないため前記第１無線システム用のアンテナとして前記アンテナ素子と前記第１導体素子が動作し第２の導体素子は第１無線システム用のアンテナに影響を与えず、前記第２無線システム用のアンテナとして前記アンテナ素子と前記第２導体素子が動作し第１の導体素子は第２無線システム用のアンテナに影響を与えないため各々の無線システムにおいて良好なアンテナ性能を得ることができる。
【発明の効果】
【００２１】
本発明によれば、１つのアンテナ素子で動作周波数の異なる無線システムに対応することができ、無線システムは同時に動作することが出来るため、複数無線システムに対応した無線通信端末の小型・薄型化を図ることが出来る。
【図面の簡単な説明】
【００２２】
【図１】本発明の実施の形態に係る無線通信端末の概略構成を説明するための図
【図２】本発明の実施の形態に係る無線通信端末の概略構成を示すブロック図
【図３】本発明の実施の形態に係る無線通信端末の第１周波数帯および第２周波数帯における動作状態の模式図
【図４】本発明の実施の形態に係る無線通信端末の第１遮断部を説明するための図
【図５】本発明の実施の形態に係る無線通信端末の第１導体素子を説明するための図
【図６】本発明の実施の形態に係る無線通信端末の第３遮断部を説明するための図
【図７】本発明の実施の形態に係る無線通信端末の第２遮断部を説明するための図
【図８】本発明の実施の形態に係る無線通信端末の第２導体素子を説明するための図
【図９】本発明の実施の形態に係る無線通信端末の第４遮断部を説明するための図
【図１０】従来の電磁結合劣化を低減する無線通信端末の概観を示す図
【図１１】従来の１つの素子で広帯域化を図る無線通信端末の概観を示す図
【発明を実施するための形態】
【００２３】
以下、本発明を実施するための好適な実施の形態について、図面を参照して詳細に説明する。
【００２４】
（実施の形態）
図１は、本発明の実施の形態に係る無線通信端末２００の構成図である。また、図２は、本実施の形態に係る無線通信端末２００の概念図であり、（ａ）はブロック図、（ｂ）は斜視図である。また、図３は、本実施の形態に係る無線通信端末２００における各動作周波数での動作モードを模式的に示した図であり、（ａ）は第２無線システム５におけるアンテナ動作を示した図であり、（ｂ）は第１無線システム４におけるアンテナ動作を示した図である。
【００２５】
図１〜図３において、本実施の形態の無線通信端末２００は、回路基板２０とアンテナ基板２１を有している。
【００２６】
回路基板２０上には、第１周波数帯を動作周波数とする第１無線システム４と、第１無線システム４と第１導体素子１０に電気的に接続された第３遮断部１０２と、第１無線システム４とは異なる位置に配置され第２周波数帯を動作周波数とする第２無線システム５と、第２無線システム５と第２導体素子１１に電気的に接続された第４遮断部１０３を有する。
【００２７】
アンテナ基板２１上には、アンテナ素子１と、アンテナ素子１に電気的に接続された第１遮断部１００と、第１遮断部１００とは異なる位置でアンテナ素子１に電気的に接続された第２遮断部１０１を有する。
【００２８】
回路基板２０上の第１導体素子１０は、アンテナ基板２１上の第１遮断部１００と電気的に接続され、回路基板２０上の第２導体素子１１は、アンテナ基板２１上の第２遮断部１０１と電気的に接続される。
【００２９】
上記構成において、例えば、第１無線システム４が第１周波数帯を２．４ＧＨｚ帯とするＢｌｕｅｔｏｏｔｈ（登録商標）であり、第２無線システム５が第２周波数帯を１．５ＧＨｚ帯とするＧＰＳである場合として、本発明の効果を詳しく説明する。
【００３０】
初めに各ブロックの構成について詳しく説明する。図４は、本実施の形態の無線通信端末２００における第１遮断部１００の具体的構成の一例を示す図である。
【００３１】
第１遮断部１００は、アンテナ基板２１上に構成され、遮断回路３０と、接続部３２と、接続部３２と遮断回路３０を電気的に接続する線路３１と、線路３１とは異なる位置で遮断回路３０と電気的に接続する線路３３により構成される。
【００３２】
遮断回路３０は、第２周波数帯である１．５ＧＨｚ帯を遮断し、第１周波数帯である２．４ＧＨｚ帯を通過させる回路構成である。例えば２．４ＧＨｚを通過させる（１．５ＧＨｚ帯は遮断する）バンドパス型回路や、１．５ＧＨｚ帯を遮断する（２．５ＧＨｚ帯は通過する）周波数遮断回路により構成する。
【００３３】
上記構成により第１遮断部１００は、流れ込む高周波電流のうち第２周波数帯である１．５ＧＨｚ帯を遮断し、第１周波数帯である２．４ＧＨｚ帯を通過させることが出来る。
【００３４】
図５は、本実施の形態の無線通信端末２００における第１導体素子１０の具体的構成の一例を示す図であり、第１導体素子１０の構成要素の配置関係を示す斜視図と、第１導体素子１０の構成要素の接続関係を示す側面図により構成される。
【００３５】
第１導体素子１０は、回路基板２０上に配置され、バネ製を持った金属などの導体にて構成される。また、第１導体素子１０の電気的長さは第２周波数帯１．５ＧＨｚの１／８λ以下の長さとなるように構成される。
【００３６】
上記構成により、第１導体素子１０の長さは第２周波数帯１．５ＧＨｚ帯ではアンテナとして動作しない長さとなり、アンテナ素子１に近接することによる性能への影響を及ぼさない。かつ、第１周波数帯２．４ＧＨｚ帯では伝送線路として損失なく高周波電流を流すことができる。
【００３７】
図６は、本実施の形態の無線通信端末２００における第３遮断部１０２の具体的構成の一例を示す図である。
【００３８】
第３遮断部１０２は、回路基板２０に構成され、遮断回路５０と、遮断回路５０に電気的に接続される線路５１と、線路５１とは異なる位置で遮断回路５０に電気的に接続される線路５２により構成される。
【００３９】
遮断回路５０は、第２周波数帯である１．５ＧＨｚ帯を遮断し、第１周波数帯である２．４ＧＨｚ帯を通過させる回路構成である。例えば２．４ＧＨｚを通過させる（１．５ＧＨｚ帯は遮断する）バンドパス型回路や、１．５ＧＨｚ帯を遮断する（２．４ＧＨｚ帯は通過する）周波数遮断回路により構成する。
【００４０】
上記構成により、第３遮断部１０２は、流れ込む高周波電流のうち第２周波数帯である１．５ＧＨｚ帯を遮断し、第１周波数帯である２．４ＧＨｚ帯を通過させることが出来る。
【００４１】
図７は、本実施の形態の無線通信端末２００における第２遮断部１０１の・・・を示す図である。
【００４２】
第２遮断部１０１は、アンテナ基板２１上に構成され、遮断回路４０と、接続部４２と、接続部４２と遮断回路４０を電気的に接続する線路４１と、線路４１とは異なる位置で遮断回路４０と電気的に接続する線路４３により構成される。
【００４３】
遮断回路４０は、第１周波数帯である２．４ＧＨｚ帯を遮断し、第２周波数帯である１．５ＧＨｚ帯を通過させる回路構成である。例えば１．５ＧＨｚを通過させる（２．４ＧＨｚ帯は遮断する）バンドパス型回路や、２．４ＧＨｚ帯を遮断する（１．５ＧＨｚ帯は通過する）周波数遮断回路により構成する。
【００４４】
上記構成により、第２遮断部１０１は、流れ込む高周波電流のうち第１周波数帯である２．４ＧＨｚ帯を遮断し、第２周波数帯である１．５ＧＨｚ帯を通過させることが出来る。
【００４５】
図８は、本実施の形態の無線通信端末２００における第２導体素子１１の具体的構成の一例を示す図であり、第２導体素子１１の構成要素の配置関係を示す斜視図と、第２導体素子１１の構成要素の接続関係を示す側面図により構成される。
【００４６】
第２導体素子１１は、回路基板２０上に配置され、バネ製を持った金属などの導体にて構成される。また、第２導体素子１１の電気的長さは第１周波数帯２．４ＧＨｚの１／８λ以下の長さとなるように構成される。
【００４７】
上記構成により、第２導体素子１１の長さは第１周波数帯２．４ＧＨｚ帯ではアンテナとして動作しない長さとなり、アンテナ素子１に近接することによる性能への影響を及ぼさない。かつ、第２周波数帯１．５ＧＨｚ帯では伝送線路として損失なく高周波電流を流すことができる。
【００４８】
図９は、本実施の形態の無線通信端末２００における第２導体素子１１の具体的構成の一例を示す図である。
【００４９】
第４遮断部１０３は、回路基板２０に構成され、遮断回路６０と、遮断回路６０に電気的に接続される線路６１と、線路６１とは異なる位置で遮断回路６０に電気的に接続される線路６２により構成される。
【００５０】
遮断回路６０は、第１周波数帯である２．４ＧＨｚ帯を遮断し、第２周波数帯である１．５ＧＨｚ帯を通過させる回路構成である。例えば１．５ＧＨｚを通過させる（２．４ＧＨｚ帯は遮断する）バンドパス型回路や、２．４ＧＨｚ帯を遮断する（１．５ＧＨｚ帯は通過する）周波数遮断回路により構成する。
【００５１】
上記構成により、第４遮断部１０３は、流れ込む高周波電流のうち第１周波数帯である２．４ＧＨｚ帯を遮断し、第２周波数帯である１．５ＧＨｚ帯を通過させることが出来る。
【００５２】
次に前記構成の電気的な接続について説明する。
【００５３】
第１無線システム４と第３遮断部１０２は、第３遮断部１０２上の線路５１を介して接続され、第３遮断部１０２と第１導体素子１０は、第３遮断部１０２上の線路５２を介して接続される。また、第１導体素子１０と第１遮断部１００は、第１遮断部１００上の接続部３２を介して接続され、第１遮断部１００とアンテナ素子１は、第１遮断部１００上の線路３３を介して接続される。
【００５４】
同様に、第２無線システム５と第４遮断部１０３は、第４遮断部１０３上の線路６１を介して接続され、第４遮断部１０３と第２導体素子１１は、第４遮断部１０３上の線路６２を介して接続される。また、第２導体素子１１と第２遮断部１０１は、第２遮断部１０１上の接続部４２を介して接続され、第２遮断部１０１とアンテナ素子１は、第２遮断部１０１上の線路４３を介して接続される。
【００５５】
上記接続により第１無線システム４から供給された電力はアンテナ素子１に流れ、同様に第２無線システム５から供給された電力はアンテナ素子１に流れる。
【００５６】
次に前記構成での各無線システムにおけるアンテナ動作について説明する。
【００５７】
第２無線システム５が使用する第２周波数帯１．５ＧＨｚ帯において、第２無線システム５から流れる高周波電流は第４遮断部１０３、第２導体素子１１、第２遮断部１０１を損失なく流れアンテナ素子１に供給される。また、第１遮断部１００は第２周波数帯１．５ＧＨｚ帯を遮断するためアンテナ素子１から第１遮断部１００へは高周波電流が流れない。そして、第３遮断部１０２も第２周波数帯１．５ＧＨｚ帯を遮断するため第１導体素子１０は高周波的に切り離された状態になり、かつ、第１導体素子１０は第２周波数帯１．５ＧＨｚ帯の１／８λ以下の長さであるためアンテナとして共振することなくアンテナ素子１へ近接してもアンテナ性能へ影響を及ぼさない。
【００５８】
よって、第１遮断部１００、第３遮断部１０２が無い状態で第１導体素子１０を介しアンテナ素子１と第１無線システム４が接続された場合は、第２無線システム５にとってアンテナ開放端が回路基板２０のＧＮＤパターンに近接しアンテナ性能が劣化してしまうが、上記構成により第２周波数帯１．５ＧＨｚにおいて第２無線システム５からみたアンテナ開放端をアンテナ素子１上とすることができ、良好なアンテナ性能を得ることができる。かつ、第２遮断部１０１から第４遮断部１０３へは第２周波数帯１．５ＧＨｚ帯の高周波電流が流れないため第２無線システム５と第１無線システム４間の第２周波数帯１．５ＧＨｚ帯におけるアイソレーション性能を向上することができる。上記を模式的に示したものが図３（a）である。
【００５９】
同様にして、第１無線システム４が使用する第１周波数帯２．４ＧＨｚ帯において、第１無線システム４から流れる高周波電流は第３遮断部１０２、第１導体素子１０、第１遮断部１００を損失なく流れアンテナ素子１に供給される。また、第２遮断部１０１は第１周波数帯２．４ＧＨｚ帯を遮断するためアンテナ素子１から第２遮断部１０１へは高周波電流が流れない。そして、第４遮断部１０３も第１周波数帯２．４ＧＨｚ帯を遮断するため第２導体素子１１は高周波的に切り離された状態になり、かつ、第２導体素子１１は第１周波数帯２．４ＧＨｚ帯の１／８λ以下の長さであるためアンテナとして共振することなくアンテナ素子１へ近接してもアンテナ性能へ影響を及ぼさない。
【００６０】
よって、第２遮断部１０１、第４遮断部１０３が無い状態で第２導体素子１１を介しアンテナ素子１と第２無線システム５が接続された場合は、第１無線システム４にとってアンテナ開放端が回路基板２０のＧＮＤパターンに近接しアンテナ性能が劣化してしまうが、上記構成により第１周波数帯２．４ＧＨｚにおいて第１無線システム４からみたアンテナ開放端をアンテナ素子１上とすることができ、良好なアンテナ性能を得ることができる。かつ、第２遮断部１０１から第４遮断部１０３へは第１周波数帯２．４ＧＨｚ帯の高周波電流が流れないため第１無線システム４と第２無線システム５間の第１周波数帯２．４ＧＨｚ帯におけるアイソレーション性能を向上することができる。上記を模式的に示したものが図３（b）である。
【００６１】
このように本実施の形態の無線通信端末２００によれば、１つのアンテナ素子で動作周波数の異なる無線システムに対応し、各無線システムに対して良好なアンテナ性能を得ることが出来る。また本無線システムは同時に動作することができ、複数無線システムに対応した無線通信端末２００の小型・薄型化を図ることが出来る。
【００６２】
なお、本実施の形態において、前記第１周波数帯は前記第２周波数帯より高い周波数であって、前記第１周波数帯の最も低い周波数と前記第２周波数帯の最も高い周波数との間隔が第１周波数帯の中心周波数に対して比帯域５%以上である。前記構成により第１遮断部と第３遮断部は第１周波数帯を通過し、第２周波数帯を遮断することができる。同様に第２遮断部と第４遮断部は第２周波数帯を通過し、第１周波数帯を遮断することができ、各無線システムからアンテナ素子への接続を無線システムが使用する周波数帯において損失なく行うことができる。
【００６３】
同様に、本実施の形態において前記第３遮断部と前記第４遮断部との間隔が第１周波数帯または第２周波数帯の１／２０波長以上である。前記構成により、前記第３遮断部と前記第４遮断部の間での電流の流れ込みを抑制し、各々の無線システムからの電力をアンテナ素子にのみ供給することができ良好なアンテナ性能を得ることができる。
【００６４】
また、本実施の形態では第１周波数帯が２．４ＧＨｚ帯で、第２周波数帯が１．５ＧＨｚ帯であったがそれに限るものではなく様々な無線システムに対応することを想定している。
【産業上の利用可能性】
【００６５】
１つのアンテナ素子で動作周波数の異なる無線システムに対応し、各無線システムに対して良好なアンテナ性能を得ることが出来るといった効果を有し、複数の無線システムを搭載した薄型・小型な無線通信端末などへ適応が可能である。
【符号の説明】
【００６６】
１    アンテナ素子
４    第１無線システム
５    第２無線システム
１０    第１導体素子
１１    第２導体素子
２０    回路基板
２１    アンテナ基板
３０    第１遮断部の遮断回路
３１、３３    第１遮断部の線路
３２    第１遮断部の接続部
４０    第２遮断部の遮断回路
４１、４３    第２遮断部の線路
４２    第２遮断部の接続部
５０    第３遮断部の遮断回路
５１、５２    第３遮断部の線路
６０    第４遮断部の遮断回路
６１、６２    第４遮断部の線路
１００    第１遮断部
１０１    第２遮断部
１０２    第３遮断部
１０３    第４遮断部
２００    無線通信端末
３０１    特許文献１のアンテナ素子１
３０２    特許文献１のアンテナ素子２
３０３    特許文献２のアンテナ素子
３０４    特許文献２の帯域切替スイッチ
【図１】
2011041171.tif 000003
【図２】
2011041171.tif 000004
【図３】
2011041171.tif 000005
【図４】
2011041171.tif 000006
【図５】
2011041171.tif 000007
【図６】
2011041171.tif 000008
【図７】
2011041171.tif 000009
【図８】
2011041171.tif 000010
【図９】
2011041171.tif 000011
【図１０】
2011041171.tif 000012
【図１１】
2011041171.tif 000013